(57)【要約】  扉体外枠（１）と、扉体外枠（１）と係合する扉体内枠（２）と、前記扉体外枠（１）と前記扉体内枠（２）の間に設けられる扉体ブッシュ（３）と、前記扉体外枠（１）と前記扉体内枠（２）との係合した時に対向する両面に設けられる複数のリブと、を備え、前記複数のリブは、それぞれ前記扉体ブッシュ（３）の軸孔の径方向および軸方向に沿って互いにずれて設けられ、前記扉体外枠（１）および/または前記扉体内枠（２）におけるリブは、扉体ブッシュ（３）に接触して扉体ブッシュ（３）を挟持する、扉体ブッシュ（３）の固定構造。【選択図】図２
2019505296.tif 000002
【特許請求の範囲】
【請求項１】
扉体外枠（１）と、
扉体外枠（１）と係合する扉体内枠（２）と、
前記扉体外枠（１）と前記扉体内枠（２）の間に設けられる扉体ブッシュ（３）と、
前記扉体外枠（１）と前記扉体内枠（２）との係合した時に対向する両面に設けられる複数のリブと、を備え、
前記複数のリブは、それぞれ前記扉体ブッシュ（３）の軸孔の径方向および軸方向に沿って互いにずれて設けられ、
前記扉体外枠（１）および/または前記扉体内枠（２）におけるリブは、扉体ブッシュ（３）に接触してに扉体ブッシュ（３）を挟持する、
扉体ブッシュの固定構造。
【請求項２】
前記複数のリブは、前記扉体ブッシュ（３）の軸方向に沿って配置されるＡ類リブ（４）と、前記扉体ブッシュ（３）の径方向に沿って配置されるＢ類リブ（５）とを含み、
前記扉体外枠（１）におけるＢ類リブ（５）は、扉体外枠（１）の隣接するＡ類リブ（４）同士の間に位置するとともにこのＡ類リブ（４）に連結され、
前記扉体内枠（２）におけるＢ類リブ（５）は、扉体内枠（２）の隣接するＡ類リブ（４）同士の間に位置するとともにこのＡ類リブ（４）に連結される、
請求項１に記載の扉体ブッシュの固定構造。
【請求項３】
前記扉体外枠（１）および扉体内枠（２）におけるＡ類リブ（４）に、軸方向において扉体ブッシュ（３）の外形の一部と合致する挟持部（６）が備えられ、
前記扉体外枠（１）および扉体内枠（２）の隣接するＡ類リブ（４）同士の挟持部（６）が扉体ブッシュ（３）を支持して挟持し、
前記扉体外枠（１）におけるＡ類リブ（４）が扉体内枠（２）の隣接するＡ類リブ（４）同士の隙間に挿入され、
前記扉体内枠（２）におけるＡ類リブ（４）が扉体外枠（１）の隣接するＡ類リブ（４）同士の隙間に挿入される、
請求項２に記載の扉体ブッシュの固定構造。
【請求項４】
前記扉体ブッシュ（３）の真上または真下に位置するＢ類リブ（５）は、前記扉体ブッシュ（３）を接触して挟持する、請求項２に記載の扉体ブッシュの固定構造。
【請求項５】
前記扉体外枠（１）において前記扉体ブッシュ（３）両側に位置するＢ類リブ（５）が扉体内枠（２）の隣接するＢ類リブ（５）同士の隙間に挿入され、
前記扉体内枠（２）において前記扉体ブッシュ（３）両側に位置するＢ類リブ（５）が扉体外枠（１）の隣接するＢ類リブ（５）同士の隙間に挿入される、
請求項２に記載の扉体ブッシュの固定構造。
【請求項６】
前記扉体外枠（１）および扉体内枠（２）における前記Ａ類リブ（４）の遊端の端面が面一である、
請求項２に記載の扉体ブッシュの固定構造。
【請求項７】
前記扉体外枠（１）および扉体内枠（２）における前記Ａ類リブ（４）の遊端の端面が面一ではない、
請求項２に記載の扉体ブッシュの固定構造。
【請求項８】
前記扉体外枠（１）と扉体内枠（２）は、係合した後にねじによって固定される、
請求項１に記載の扉体ブッシュの固定構造。
【請求項９】
前記扉体ブッシュ（３）の断面形状は、非円形である、
請求項１から８のいずれか１項に記載の扉体ブッシュの固定構造。
【請求項１０】
上記請求項１から９のいずれか１項に記載の扉体ブッシュの固定構造によって固定される扉体を備えるドラム式洗濯機。
【発明の詳細な説明】
【技術分野】
【０００１】
本開示は、扉体ブッシュの固定技術の分野に関し、例えば扉体ブッシュの固定構造およびドラム式洗濯機に関する。
【背景技術】
【０００２】
関連技術におけるドラム式洗濯機は、いずれも一つの扉体が設けられ、扉体とドラム式洗濯機の本体が扉ヒンジによって連結され、槽内の洗濯水が外に漏れることを防止し、使用者がいつでも扉体における覗き窓から槽内の洗濯状況を見ることもできる。ドラム式洗濯機の扉体ブッシュは、扉体内枠および扉体外枠の係合した両面による挟持で直接固定され、安定性が悪く、しっかりと固定できない。頻繁に扉体を開閉すると、扉体外枠および扉体内枠と扉体ブッシュとの間に頻繁に相対回動が発生するため、扉体ブッシュは摩耗されてガタが生じ、これによって扉体が垂下し、扉体の開閉故障を招いてしまう。また、洗濯機の体積増大に伴い、扉体も大きくなり、関連技術における扉体は、強度不足によって垂下ないし脱落を引き起こしやすい。
【発明の概要】
【発明が解決しようとする課題】
【０００３】
本開示は、内扉体と外枠の間の強度および扉体ブッシュの強固程度を高め、さらにドラム式洗濯機の扉体の安定性を高め、扉体の垂下を回避することができる扉体ブッシュの固定構造を提供する。
【課題を解決するための手段】
【０００４】
本開示の実施例は、
扉体外枠と、
扉体外枠と係合する扉体内枠と、
前記扉体外枠と前記扉体内枠の間に設けられる扉体ブッシュと、
前記扉体外枠と前記扉体内枠との係合した時に対向する両面に設けられる複数のリブと、を備え、
前記複数のリブは、それぞれ前記扉体ブッシュの軸孔の径方向および軸方向に沿って互いにずれて設けられ、
前記扉体外枠および/または前記扉体内枠におけるリブは、扉体ブッシュに接触して扉体ブッシュを挟持する、扉体ブッシュの固定構造を提供する。
【０００５】
オプションとして、前記複数のリブは、前記扉体ブッシュの軸方向に沿って配置されるＡ類リブと、前記扉体ブッシュの径方向に沿って配置されるＢ類リブとを含み、前記扉体外枠におけるＢ類リブは、扉体外枠の隣接するＡ類リブ同士の間に位置するとともにこのＡ類リブに連結され、前記扉体内枠におけるＢ類リブは、扉体内枠の隣接するＡ類リブ同士の間に位置するとともにこのＡ類リブに連結される。
【０００６】
オプションとして、前記扉体外枠および扉体内枠におけるＡ類リブに、軸方向において扉体ブッシュの外形の一部と合致する挟持部が備えられ、前記扉体外枠および扉体内枠の隣接するＡ類リブ同士の挟持部が扉体ブッシュを支持して挟持し、前記扉体外枠におけるＡ類リブが扉体内枠の隣接するＡ類リブ同士の隙間に挿入され、前記扉体内枠におけるＡ類リブが扉体外枠の隣接するＡ類リブ同士の隙間に挿入される。
【０００７】
オプションとして、前記扉体ブッシュの真上または真下に位置するＢ類リブが、前記扉体ブッシュを接触して挟持する。
【０００８】
オプションとして、前記扉体外枠において前記扉体ブッシュ両側に位置するＢ類リブが扉体内枠の隣接するＢ類リブの隙間に挿入され、前記扉体内枠において前記扉体ブッシュ両側に位置するＢ類リブが扉体外枠の隣接するＢ類リブ同士の隙間に挿入される。
【０００９】
オプションとして、前記扉体外枠および扉体内枠における前記Ａ類リブの遊端の端面が面一である。
【００１０】
オプションとして、前記扉体外枠および扉体内枠における前記Ａ類リブの遊端の端面が面一ではない。
【００１１】
オプションとして、前記扉体外枠と扉体内枠は、係合した後にねじによって固定される。
【００１２】
オプションとして、前記扉体ブッシュの断面形状は、非円形である。
【００１３】
本開示の実施例は、上記扉体ブッシュの固定構造によって固定される扉体を備えるドラム式洗濯機をさらに提供する。
【発明の効果】
【００１４】
本開示の実施例は、扉体外枠と扉体内枠との係合した時に対向する両面に、扉体ブッシュの径方向および軸方向に沿ってそれぞれ複数のリブが互いにずれて設けられ、扉体外枠および扉体内枠におけるリブを相手側のリブ同士の隙間に挿入して扉体ブッシュを固定し、扉体内外枠の間の強度および扉体ブッシュの強固程度を高め、さらに、ドラム式洗濯機扉体の安定性を高め、扉体の垂下を回避することができる。
【図面の簡単な説明】
【００１５】
【図１】本開示の実施例による扉体ブッシュの固定構造の概念図である。
【図２】図１のＡ−Ａ部分断面図である。
【図３】図１のＢ−Ｂ部分断面図である。
【図４】図３のＣにおける部分拡大図である。
【図５】本開示の実施例による挟持部の構造概念図である。
【図６】本開示の実施例による二つの挟持部の構造概念図である。
【図７】本開示の実施例による四角形断面の扉体ブッシュの構造概念図である。
【図８】本開示の実施例によるＤ字形断面の扉体ブッシュの構造概念図である。
【発明を実施するための形態】
【００１６】
以下、図面に基づいてオプションの実施形態によって本開示の手段を説明する。衝突しない限り、異なる実施例における特徴を任意に組み合わせることができる。
【００１７】
本実施例は、図１から４に示すように、扉体外枠１と、扉体外枠１と係合する扉体内枠２とを備え、前記扉体外枠１と扉体内枠２の間に扉体ブッシュ３が設けられ、前記扉体外枠１と扉体内枠２との係合面に、それぞれ扉体ブッシュ３における軸孔の径方向および軸方向に沿って互いにずれた複数のリブが設けられる扉体ブッシュの固定構造を提供する。オプションとして、前記リブは、前記扉体外枠１と扉体内枠２の間の係合面に垂直であってもよく、前記扉体外枠１および/または扉体内枠２におけるリブは、扉体ブッシュ３に接触して扉体ブッシュ３を挟持する。
【００１８】
オプションとして、以下の複数種の態様を含んでもよい。
【００１９】
扉体外枠１にリブが設けられ、扉体内枠２にリブが設けられず、扉体外枠１におけるリブおよび扉体内枠２が扉体ブッシュ３に接触して扉体ブッシュ３を挟持する。
【００２０】
或いは、扉体外枠１にリブが設けられず、扉体内枠２にリブが設けられ、扉体外枠１および扉体内枠２におけるリブが扉体ブッシュ３に接触して扉体ブッシュ３を挟持する。
【００２１】
或いは、扉体外枠１にリブが設けられ、扉体内枠２にリブが設けられ、扉体外枠１におけるリブおよび扉体内枠２におけるリブが扉体ブッシュ３に接触して扉体ブッシュ３を挟持する。
【００２２】
本実施例において、前記リブは、前記扉体ブッシュ３の軸方向に沿って配置されるＡ類リブ４および前記扉体ブッシュ３の径方向に沿って配置されるＢ類リブ５とを含み、前記扉体外枠１におけるＢ類リブ５は、扉体外枠１の隣接するＡ類リブ４同士の間に位置するとともにこのＡ類リブ４に連結され、前記扉体内枠２におけるＢ類リブ５は、扉体内枠２の隣接するＡ類リブ４同士の間に位置するとともにこのＡ類リブ４に連結される。
【００２３】
本実施例において、図５に示すように、前記扉体外枠１および/または扉体内枠２におけるＡ類リブ４に、軸方向において扉体ブッシュ３の外形の一部と合致する挟持部６が備えられ、前記扉体外枠１および扉体内枠２の隣接するＡ類リブ４同士の挟持部６が扉体ブッシュ３を支持して挟持し、前記扉体外枠１におけるＡ類リブ４が扉体内枠２の隣接するＡ類リブ４同士の隙間に挿入され、前記扉体内枠２におけるＡ類リブ４が扉体外枠１の隣接するＡ類リブ４同士の隙間に挿入される。
【００２４】
図３および図４に示すように、前記扉体外枠１および扉体内枠２におけるＡ類リブ４が互いにずれて配置され、且つ前記Ａ類リブ４が扉体ブッシュ３における軸孔の軸方向に沿って配置される。扉体内枠２における第４のＡ類リブ２４１が扉体外枠１における第１のＡ類リブ１４１と第２のＡ類リブ１４２の隙間に挿入され、扉体内枠２における第５のＡ類リブ２４２が扉体外枠１における第２のＡ類リブ１４２と第３のＡ類リブ１４３の隙間に挿入される。これと同時に、扉体外枠１における第２のＡ類リブ１４２が扉体内枠２における第４のＡ類リブ２４１と第５のＡ類リブ２４２の隙間に挿入され、扉体外枠１における第３のＡ類リブ１４３が扉体内枠２の第５のＡ類リブ２４２と第６のＡ類リブ２４３の隙間に挿入される。
【００２５】
本実施例の前記扉体外枠１におけるＡ類リブ４と扉体内枠２におけるＡ類リブ４の遊端の端面の位置関係として、面一である（図では不図示）と面一ではないという２つの関係が存在する。図４に示すように、本実施例おいて、扉体内枠２における第６のＡ類リブ２４３の遊端の端面は、扉体外枠１におけるＡ類リブの遊端の端面と面一ではなく、且つ第６のＡ類リブ２４３が扉体外枠１における第６のＡ類リブ２４３に対応する隣接するＡ類リブ同士の隙間に挿入されていない。扉体内枠２における第４のＡ類リブ２４１遊端の端面と扉体外枠１におけるＡ類リブの遊端の端面も面一ではないが、第４のＡ類リブ２４１が第１のＡ類リブ１４１と第２のＡ類リブ１４２の隙間に挿入される。図６に示すように、本実施例の前記扉体外枠１におけるＡ類リブ４と扉体内枠２におけるＡ類リブ４の遊端の端面は面一でもよく、この態様は図示されていない。
【００２６】
本実施例において、前記扉体ブッシュ３の真上または真下のＢ類リブ５が前記扉体ブッシュ３を接触して挟持し、即ち、扉体ブッシュ３の真上または真下に位置するＢ類リブ５によって扉体ブッシュ３の外表面を挟持する。
【００２７】
前記扉体外枠１の前記扉体ブッシュ３の両側に位置するＢ類リブ５が扉体内枠２の隣接するＢ類リブ５同士の隙間に挿入され、前記扉体内枠２の前記扉体ブッシュ３の両側に位置するＢ類リブ５が扉体外枠１の隣接するＢ類リブ５同士の隙間に挿入される。即ち、両側に互いに挿入されるＢ類リブ５によって、扉体ブッシュ３の強固程度および内外枠が係合した後の強固程度を高める。
【００２８】
扉体外枠１および扉体内枠２における２種類のリブの結合によって、扉体ブッシュ３を扉体外枠１と扉体内枠２の間に固定し、内扉体外枠の間の強度および扉体ブッシュ３の強固程度を高める。前記扉体外枠１と扉体内枠２は、扉体外枠１と扉体内枠２の間の連結強度を高めるように、係合した後にネジによって固定される。
【００２９】
扉体を開閉する過程において、扉体ブッシュ３が扉体外枠１または扉体内枠２と相対回動し得、摩耗が発生して扉体ブッシュ３をしっかりと固定しなくなり、さらに、扉体の安定性に影響を及ぼす。そのため、本実施例では、扉体ブッシュ３と扉体外枠１、扉体内枠２の間の相対回動を制限するように、前記扉体ブッシュ３の断面形状を非円形に設計する。図７に示すように、本実施例に係る扉体ブッシュ３の断面形状は四角形であってもよい。図８に示すように、Ｄ字形断面の扉体ブッシュも扉体ブッシュ３と扉体外枠１または扉体内枠２との間の相対回動を制限することができるため、Ｄ字形断面の扉体ブッシュを採用してもよい。
【００３０】
本実施例は、扉体ブッシュ３の固定が上記扉体ブッシュの固定構造によってなされる扉体を備えるドラム式洗濯機をさらに提供する。この固定構造によって扉体ブッシュ３の強固程度および扉体内外枠の間の連結強度を高め、さらに、ドラム式洗濯機扉体の安定性を高め、ドラム式洗濯機の扉体の垂下を防止する。
【００３１】
本開示の上記実施例は、本開示を明らかに説明するために例示されたものに過ぎず、本開示の実施形態を限定するものではない。当業者にとって、上記説明に基づき、他の異なる形式の変化または変動をすることができる。ここでは、全ての実施形態を網羅することができず、必要もない。
【産業上の利用可能性】
【００３２】
本開示の実施例は、扉体外枠と扉体内枠との係合した時に対向する両面に、扉体ブッシュの径方向および軸方向に沿ってそれぞれ複数のリブが互いにずれて設けられ、扉体外枠および扉体内枠におけるリブを相手側のリブの隙間に挿入して扉体ブッシュを固定し、扉体内外枠の間の強度および扉体ブッシュの強固程度を高め、さらに、ドラム式洗濯機扉体の安定性を高め、扉体に垂下を回避することができる扉体ブッシュの固定構造およびドラム式洗濯機を提供する。
【符号の説明】
【００３３】
１      扉体外枠
１４１  第１のＡ類リブ
１４２  第２のＡ類リブ
１４３  第３のＡ類リブ
１５１  第１のＢ類リブ
２      扉体内枠
２４１  第４のＡ類リブ
２４２  第５のＡ類リブ
２４３  第６のＡ類リブ
２５１  第２のＢ類リブ
３      扉体ブッシュ
４      Ａ類リブ
５      Ｂ類リブ
６      挟持部
【図１】
2019505296.tif 000003
【図２】
2019505296.tif 000004
【図３】
2019505296.tif 000005
【図４】
2019505296.tif 000006
【図５】
2019505296.tif 000007
【図６】
2019505296.tif 000008
【図７】
2019505296.tif 000009
【図８】
2019505296.tif 000010
【国際調査報告】
2019505296.tif 000011
2019505296.tif 000012
2019505296.tif 000013
2019505296.tif 000014